(57)【要約】      （修正有）【課題】チャイルドシートに着座する乳幼児の衛生面に配慮したチャイルドシートの肩パッドカバーを提供する。【解決手段】本発明のチャイルドシートの肩パッドカバー３０は、乳幼児が着座するチャイルドシートの肩パッド又はシートベルトの表面を覆うカバー本体３２を備え、前記カバー本体３２は、前記チャイルドシートの肩パッドの表面に接触して着脱可能とし、かつ前記シートベルトに巻き付けて着脱可能とする着脱部３４を設けたことを特徴とする。【選択図】図１
2019043340.tif 000002
【特許請求の範囲】
【請求項１】
乳幼児が着座するチャイルドシートの肩パッド又はシートベルトの表面を覆うカバー本体を備え、
前記カバー本体は、前記チャイルドシートの肩パッドの表面に接触して着脱可能とし、かつ前記シートベルトに巻き付けて着脱可能とする着脱部を設けたことを特徴とするチャイルドシートの肩パッドカバー。
【請求項２】
前記着脱部は、前記カバー本体の長手方向に沿ってジッパー、ボタンホック、面ファスナー、マグネットのいずれかを形成し、前記肩パッドの帯又は前記シートベルトを前記カバー本体で筒状に包んで装着可能なことを特徴とする請求項１に記載のチャイルドシートの肩パッドカバー。
【請求項３】
前記着脱部は、前記肩パッドの表面と対向する前記カバー本体の一方の主面に設けた面ファスナー、ボタンホック、マグネットのいずれかであることを特徴とする請求項１または２に記載のチャイルドシートの肩パッドカバー。
【請求項４】
前記カバー本体は、前記乳幼児の衣服と接する面に滑り止め部を設けたことを特徴とする請求項１ないし３のいずれか１に記載のチャイルドシートの肩パッドカバー。
【請求項５】
前記カバー本体は、前記シートベルトが通る内面側に前記シートベルトの長手方向に沿って摺動可能な摺動部を設けたことを特徴とする請求項１ないし４のいずれか１に記載のチャイルドシートの肩パッドカバー。
【請求項６】
前記カバー本体は前記チャイルドシートのベルトガイドに掛止可能な掛止部を備えたことを特徴とする請求項１ないし５のいずれか１に記載のチャイルドシートの肩パッドカバー。
【請求項７】
乳幼児が着座するチャイルドシートの肩パッド又はシートベルトの表面を覆うカバー本体を備え、
前記カバー本体は、袋状とし、内部に収容可能な巻き付け部と、
前記カバー本体の一方の主面に設けた第１着脱部と、
前記巻き付け部に設けた第２着脱部とを有し、
前記巻き付け部を前記カバー本体に収納して前記チャイルドシートの肩パッドと前記第１着脱部が着脱可能とし、かつ前記巻き付け部を前記シートベルトに巻き付けて前記第１及び第２着脱部を着脱可能とすることを特徴とするチャイルドシートの肩パッドカバー。
【発明の詳細な説明】
【技術分野】
【０００１】
本発明は、特に肩ベルト又はシートベルトで乳幼児（乳児（満１歳未満までの子供）および幼児（満１歳から小学校就学までの子供）を合わせた呼び名）を拘束するチャイルドシートの肩パッドカバーに関する。
【背景技術】
【０００２】
乗車時の乳幼児の安全性を高めるためにチャイルドシートが利用されている。このチャイルドシートは、車両用シートに取り付けるシート本体と、乳幼児の肩を拘束する左右の肩ベルトと、乳幼児の腰を拘束する腰ベルトを備えている。肩ベルト及び腰ベルトはシート本体のバックルに係止することにより乳幼児を上部２点、下部３点の計５点で拘束している。そして乳幼児の成長と共に、乳幼児を拘束するベルトの使用形態が変化している。すなわち幼児を載せる場合には、車両のシートベルトを用いて拘束している。これにより乳幼児の成長に合わせて１つのチャイルドシートを長期に亘って使用することができる。
【０００３】
このチャイルドシートに着座する乳幼児の首元及び肩周りに取り付けられる肩ベルト及びシートベルトは、乳幼児の汗、よだれ、飲食物などによって極めて汚れが付着しやすい。このような汚れた状態で乳幼児をチャイルドシートに着座させることは衛生的に問題が生じるおそれがある。
ところで、特許文献１に開示のような肩ベルトを覆う肩パッドがある。肩ベルト用肩パッドは、取り外すと使用上の安全が確保できないおそれがあり、取り外すことができない構造となっている。乳幼児が着座して使用すると、肩ベルトがちょうど肩周りおよび首元に当たる位置に取り付けられているので極めて汚れが付着し易い。
一方、シートベルトの表面を覆うシートベルトカバーが利用されている。このシートベルトカバーは、シートベルトの表裏面に巻き付けて乳幼児の首元に配置している。使用により汚れても取り外して容易に洗浄することができる。
【先行技術文献】
【特許文献】
【０００４】
【特許文献１】特開２０１６−９７７５８号公報
【発明の概要】
【発明が解決しようとする課題】
【０００５】
前述のようにシートベルトについてはカバーを取り付けて汚れを防止していた。肩パッドについても同様に汚れてしまうが、使用者がタオルを巻いて汚れを防止する程度であった。仮に肩パッドの汚れを防止する目的で、シートベルトカバーを肩パッドに適用しようとすると、肩パッドはシートベルトよりも幅寸法及び厚みがあるためそのまま取り付けることができなかった。
【０００６】
そこで、上記従来技術の問題点に鑑み本発明は、肩ベルト又はシートベルトで乳幼児を拘束するチャイルドシートの衛生面に配慮したチャイルドシートの肩パッドカバーを提供することを目的としている。
【課題を解決するための手段】
【０００７】
上記課題を解決するための第１の手段として、本発明は、乳幼児が着座するチャイルドシートの肩パッド又はシートベルトの表面を覆うカバー本体を備え、
前記カバー本体は、前記チャイルドシートの肩パッドの表面に接触して着脱可能とし、かつ前記シートベルトに巻き付けて着脱可能とする着脱部を設けたことを特徴とするチャイルドシートの肩パッドカバーを提供することにある。
上記第１の手段によれば、シートに着座した乳幼児による肩パッド又はシートベルトの汚れを防止することができる。肩パッド又はシートベルトに取り付けて汚れた肩パッドカバーは取り外して洗濯することにより再利用できる。従って、チャイルドシートを清潔に保つことができる。
【０００８】
上記課題を解決するための第２の手段として、本発明は、前記第１の手段において、前記着脱部は、前記カバー本体の長手方向に沿ってボタンホック、ジッパー、面ファスナーのいずれかを形成し、前記肩パッドの帯又は前記シートベルトを前記カバー本体で筒状に包んで装着可能なことを特徴とするチャイルドシートの肩パッドカバーを提供することにある。
上記第２の手段によれば、幅寸法の異なる肩パッド及びシートベルトのどちらでも肩パッドカバーを装着できるので専用のカバーを用いなくても継続して使用できる。
【０００９】
上記課題を解決するための第３の手段として、本発明は、前記第１又は第２の手段において、前記着脱部は、前記肩パッドの表面と対向する前記カバー本体の一方の主面に設けた面ファスナー、ボタンホック、マグネットのいずれかであることを特徴とするチャイルドシートの肩パッドカバーを提供することにある。
上記第３の手段によれば、幅寸法の異なる肩パッド及びシートベルトのどちらでも肩パッドカバーを装着できるので専用のカバーを用いなくても継続して使用できる。
【００１０】
上記課題を解決するための第４の手段として、本発明は、前記第１ないし第３のいずれか１の手段において、前記カバー本体は、前記乳幼児の衣服と接する面に滑り止め部を設けたことを特徴とするチャイルドシートの肩パッドカバーを提供することにある。
上記第４の手段によれば、シートベルトで乳幼児を拘束する際に、カバー本体の位置ズレを防止できる。また乳幼児の衣服と滑らずに乳幼児の動きに倣ってカバー本体も一体的に動くので、ズレ落ちることがなく不快感を与えることがない。
【００１１】
上記課題を解決するための第５の手段として、本発明は、前記第１ないし第４のいずれか１の手段において、前記カバー本体は、前記シートベルトが通る内面側に前記シートベルトの長手方向に沿って摺動可能な摺動部を設けたことを特徴とするチャイルドシートの肩パッドカバーを提供することにある。
上記第５の手段によれば、シートベルトの装着又は取り外し操作の際にカバー本体が妨げとならない。従ってシートベルトの装着又は取り外し操作をスムーズに行うことができる。
【００１２】
上記課題を解決するための第６の手段として、本発明は、前記第１ないし第５のいずれか１の手段において、前記カバー本体は前記チャイルドシートのベルトガイドに掛止可能な掛止部を備えたことを特徴とするチャイルドシートの肩パッドカバーを提供することにある。
上記第６の手段によれば、車両用のシートベルトの使用時において、乳幼児の肩周りに配置するカバー本体の位置決めを容易に行うことができる。また乳幼児が動いてもカバー本体がズレ落ちるなど位置ズレが生じることがない。
【００１３】
上記課題を解決するための第７の手段として、本発明は、乳幼児が着座するチャイルドシートの肩パッド又はシートベルトの表面を覆うカバー本体を備え、前記カバー本体は、袋状とし、内部に収容可能な巻き付け部と、前記カバー本体の一方の主面に設けた第１着脱部と、前記巻き付け部に設けた第２着脱部とを有し、前記巻き付け部を前記カバー本体に収納して前記チャイルドシートの肩パッドと前記第１着脱部が着脱可能とし、かつ前記巻き付け部を前記シートベルトに巻き付けて前記第１及び第２着脱部を着脱可能とすることを特徴とするチャイルドシートの肩パッドカバーを提供することにある。
上記第７の手段によれば、シートに着座した乳幼児による肩パッド又はシートベルトの汚れを防止することができる。肩パッド又はシートベルトに取り付けて汚れた肩パッドカバーは取り外して洗濯することにより再利用できる。従って、チャイルドシートを清潔に保つことができる。
【発明の効果】
【００１４】
本発明によれば、シートに着座した乳幼児による肩パッド又はシートベルトの汚れを防止することができ、長期に亘ってチャイルドシートを清潔に保ち衛生的に使用できる。
【図面の簡単な説明】
【００１５】
【図１】本発明のチャイルドシートの肩パッドカバーの説明図である。
【図２】肩パッドカバーを肩パッドに装着する説明図である。
【図３】本発明のチャイルドシートの肩パッドカバーを肩パッドに装着した説明図である。
【図４】本発明のチャイルドシートの肩パッドカバーをシートベルトに装着した説明図である。
【図５】変形例１のチャイルドシートの肩パッドカバーの説明図である。
【図６】変形例２のチャイルドシートの肩パッドカバーの説明図である。
【図７】変形例３のチャイルドシートの肩パッドカバーの説明図である。
【発明を実施するための形態】
【００１６】
本発明のチャイルドシートの肩パッドカバーの実施形態を添付の図面を参照しながら、以下詳細に説明する。図１は本発明のチャイルドシートの肩パッドカバーの説明図であり、（Ａ）は着脱部を開放した内側展開図、（Ｂ）は着脱部を開放した外側展開図、（Ｃ）は着脱部を閉じた斜視図である。図２は肩パッドカバーを肩パッドに装着する説明図であり、（Ａ）は装着前の斜視図、（Ｂ）は装着後の斜視図である。図３は本発明のチャイルドシートの肩パッドカバーを肩パッドに装着した説明図である。図４は本発明のチャイルドシートの肩パッドカバーをシートベルトに装着した説明図である。
【００１７】
［チャイルドシート１０］
本発明のチャイルドシート１０は、乳幼児が着座するシート本体１２と、乳幼児を拘束する肩ベルト２２及び腰ベルト１８と、肩ベルト２２の解放空間を形成する肩パッド２６を主な基本構成としている（図３参照）。
シート本体１２は、座面部１４及び背面部１６を備えている。座面部１４は腰ベルト１８とバックル２０を設けている。背面部１６は肩ベルト２２と、肩パッド２６を設けている。
このチャイルドシート１０に幼児が着座する場合には、車両用のシートベルト２８を用いて拘束している（図４参照）。すなわち、幼児が着座するときには、あらかじめ乳幼児用の肩ベルト２２及び肩パッド２６は取り外し、又は背面部１６の内部に収納している。
【００１８】
［チャイルドシートの肩パッドカバー３０］
肩パッドカバー３０は、乳幼児が着座するチャイルドシート１０の肩パッド２６又はシートベルト２８の表面を覆うカバー本体３２を備えている。
カバー本体３２は、材質に一例として、ポリエステル又はウレタンフォームを用いている。
このカバー本体３２には、チャイルドシート１０の肩パッド２６の表面に接触して着脱可能とし、かつシートベルト２８に巻き付けて着脱可能とする着脱部３４を設けている。図１に示す着脱部３４はジッパーを用いている。図５は変形例１のチャイルドシートの肩パッドカバーの説明図である。変形例１の着脱部３４は、カバー本体３２の長手方向に沿って（Ａ）ボタンホック３４１、（Ｂ）面ファスナー３４２、（Ｃ）マグネット３４３のいずれかを形成し、肩パッド２６の帯２６１又はシートベルト２８をカバー本体３２で筒状に包んで装着可能としている。
【００１９】
カバー本体３２の内面には、摺動部３６を設けている。摺動部３６は、材質に一例として、ナイロンを用いて、カバー本体３２の内側にほぼ全域に亘って形成している。このような構成の摺動部３６は、シートベルト２８に装着した際、摩擦抵抗が小さいため、シートベルト２８が滑り易く、装着又は取り外し操作をスムーズに行うことができる。
カバー本体３２の外面であって、乳幼児の衣服と接触する側の面にはほぼ全面に亘って滑り止め部３８を設けている。滑り止め部３８は材質にシリコンを用いている。このような構成の滑り止め部３８は、シートベルト２８で乳幼児を拘束する際に、カバー本体３２の位置ズレを防止できる。また乳幼児の衣服から滑らず乳幼児の動きに倣ってカバー本体３２も一体的に動くので、ズレ落ちることがなく不快感を与えることがない。なおカバー本体３２に滑り止め部３８を設けない構成を採用しても良い。
【００２０】
カバー本体３２の端部には掛止部３９を設けている。掛止部３９は、チャイルドシート１０のシート本体１２に設けたベルトガイド１６１に掛止する紐である。掛止部３９の長さは、シートベルト２８に肩パッドカバー３０を装着した際にベルトガイド１６１に掛止して、カバー本体３２が乳幼児の胸元及び肩周辺に位置する長さに設定している。
このような掛止部３９は、車両用のシートベルトの使用時において、乳幼児の肩周りに配置するカバー本体３２の位置決めを容易に行うことができる。また乳幼児が動いてもカバー本体３２がズレ落ちるなど位置ズレが生じることがない。なお、肩ベルト２２に装着するとき、係止部３９は不要のためカバー本体３２の内側に入れている。
【００２１】
図６は変形例２のチャイルドシートの肩パッドカバーの説明図であり、（Ａ）はボタンフック、（Ｂ）は面ファスナー、（Ｃ）はマグネットの説明図である。図６に示す肩パッドカバー３０の着脱部３４は、ジッパーでカバー本体３２を筒状に形成した後、表裏のいずれかの面（一方の主面（図６では裏面側））に設けている。なおカバー本体３２の同主面（一方の主面）には滑り止め部３８を設けている。この滑り止め部の構成により、特にシートベルトの着用時に滑り止め部と同様に着脱部も乳幼児の衣服側に配置されるため、乳幼児の肌に接触して不快感を与えることがない。
（Ａ）は、ボタンホック４０を肩パッド２６及び肩パッドカバー３０の接触面に設けて、着脱自在な構成を採用している。
（Ｂ）は、面ファスナー４２を肩パッド２６及び肩パッドカバー３０の接触面に設けて、着脱自在な構成を採用している。
（Ｃ）は、マグネット４４を肩パッド２６及び肩パッドカバー３０の接触面に設けて、着脱自在な構成を採用している。
【００２２】
図７は変形例３のチャイルドシートの肩パッドカバーの説明図である。
図７（１）に示すように、変形例３の肩パッドカバー３０は、カバー本体３２Ａを袋状に形成している。
カバー本体３２Ａの表裏いずれかの面には第１着脱部３４１を設けている。図７に示す第１着脱部３４１は、一例としてボタンフックを示しているが、この他面ファスナー、マグネットであっても良い。
カバー本体３２Ａの一方の長辺は開口３２１し、開口付近に折り畳み式のシートベルトの巻き付け部５０を取り付けている。
巻き付け部５０は２つ折りして袋状のカバー本体３２Ａの内部へ収納可能な構成である。また巻き付け部５０はカバー本体３２Ａの第１着脱部３４１を設けた面と反対側の面に第２着脱部３４２を設けている。さらに巻き付け部５０には長手方向と直交する一対の辺に前述と同じ構成の係止部３９１，３９２を一対設けている。一対の係止部３９１，３９２の構成により、上下反転しても係止することができる。なお巻き付け部５０の内面（シートベルト２８と接する面）には摺動部（不図示）を設け、カバー本体３２Ａの外面であって乳幼児の衣服と接触する面には滑り止め部（不図示）を設けている。
【００２３】
上記構成による本発明のチャイルドシートの肩パッドカバーの作用について以下説明する。
［肩ベルト２２の使用時］
チャイルドシート１０に乳幼児が着座する場合には肩ベルト２２で拘束する。肩ベルト２２は肩パッド２６によって、シート本体１２上で開放空間を形成している。この肩パッド２６に肩パッドカバー３０を装着するときは、カバー本体３２の着脱部３４を開放した状態で、肩パッド２６の帯に通す。具体的には、帯を引っ張り上げて形成された帯２６１と肩パッド２６の隙間にカバー本体３２を挿入する（図２（Ａ）参照）。挿入後、帯２６１を中心としてカバー本体３２で包み込む。着脱部３４によりカバー本体３２を筒状に形成して装着することができる。
【００２４】
またカバー本体３２の主面に設けた面ファスナー、ボタンホック、マグネットなどの着脱部３４の場合、肩パッド２６の表面に設けた対応する面ファスナー、ボタンフック、マグネットに接触させることにより装着することができる（図６参照）。
また変形例３の肩パッドカバーの場合、巻き付け部５０を２回折り畳んで、カバー本体３２Ａの内部へ収納する（図７（４）参照）。そしてカバー本体３２Ａの一方の主面に設けた第１着脱部３４１と肩パッド２６の着脱部を嵌合して装着することができる。
肩パッドカバー３０を乳幼児へ装着したことによりカバー本体３２が汚れた場合は、降車後、着脱部によりカバー本体３２を取り外して、交換、洗浄して再利用することにより清潔に保つことができる。
【００２５】
［シートベルト２８の使用時］
チャイルドシート１０に幼児が着座する場合には車両のシートベルト２８で拘束する。このシートベルト２８に肩パッドカバー３０を装着するときは、カバー本体３２の着脱部３４を開放した状態で、シートベルト２８を中心としてカバー本体３２で包みこむ。着脱部３４によりカバー本体３２を筒状に形成して装着する事ができる。次に掛止部３９をベルトガイド１６１に掛止して肩パッドカバー３０の位置合わせを行う。肩パッドカバー３０の位置調整は、幼児の肩周り及び首元に合わせて移動させる。このとき、肩パッドカバー３０の内周面に形成された摺動部によりシートベルト２８の長手方向に沿って自由に摺動するため、容易に移動させることができる。また、幼児とシートベルト２８の間に挟まれた肩パッドカバー３０は、幼児の衣服との接触面に滑り止め部３８を設けているため、幼児の動きに倣ってカバー本体３２も移動するので、引っ掛かるなど抵抗することがなく不快感を与えることがない。
【００２６】
またカバー本体３２の主面に設けた面ファスナー、ボタンホック、マグネットなどの着脱部３４の場合も同様にカバー本体３２の着脱部３４を開放した状態で、シートベルト２８を中心としてカバー本体３２で包みこむ。着脱部３４によりカバー本体３２を筒状に形成して装着する事ができる。
また変形例３の肩パッドカバーの場合、シートベルト２８を中心として巻き付け部５０を１回折り畳んで、第１及び第２着脱部３４１，３４２を嵌合させる（図７（２）参照）。これによりシートベルト２８へ肩パッドカバー３０を装着できる（図７（３）参照）。次に掛止部３９１，３９２のいずれか一方をベルトガイドに掛止して肩パッドカバー３０の位置合わせを行う。
【００２７】
肩パッドカバー３０を幼児へ装着したことによりカバー本体３２が汚れた場合は、降車後、着脱部３４によりカバー本体３２を取り外して、交換、洗浄して再利用することにより清潔に保つことができる。
このような本発明の肩パッドカバーによれば、シートに着座した乳幼児による肩パッド又はシートベルトの汚れを防止することができ、長期に亘ってチャイルドシートを清潔に保つことができ、衛生的に使用できる。
【産業上の利用可能性】
【００２８】
本発明は、特に乳幼児を対象としたチャイルドシートなどの車両関連分野において産業上の利用可能性を有する。
【符号の説明】
【００２９】
１０………チャイルドシート、１２………シート本体、１４………座面部、１６………背面部、１６１………ベルトガイド、１８………腰ベルト、２０………バックル、２２………肩ベルト、２６………肩パッド、２６１………帯、２８………シートベルト、
３０………肩パッドカバー、３２………カバー本体、３４………着脱部、３６………摺動部、３８………滑り止め部、３９………掛止部、
４０………ボタンホック、４２………面ファスナー、４４………マグネット、
５０………巻き付け部。
【図１】
2019043340.tif 000003
【図２】
2019043340.tif 000004
【図３】
2019043340.tif 000005
【図４】
2019043340.tif 000006
【図５】
2019043340.tif 000007
【図６】
2019043340.tif 000008
【図７】
2019043340.tif 000009